(57)【特許請求の範囲】
【請求項１】
一つの支持要素と時計当たり少なくとも一つのカバーガラスと一つのケーシングを有する少なくとも２つの時計の配列において、支持要素が一方ではすべての時計の文字盤を形成し、他方では結合手段を維持し、その結合手段によって配列の時計が結合されていて、その結合手段が目標破断箇所を有するので、時計が不可逆的に互いに分離可能であり、そしてカバーガラスが支持要素の第一面と結合され、ケーシングが支持要素の第二面と結合されされていることを特徴とする配列。
【請求項２】
カバーガラスとケーシングが支持要素と材料一体的に結合されていることを特徴とする請求項１に記載の配列。
【請求項３】
目標破断箇所が先細部或いは横断減少部として及び穿孔部として又はいずれか一方として結合手段に実現されていることを特徴とする請求項１或いは２に記載の配列。
【請求項４】
カバーガラス、文字盤とケーシングが合成樹脂から成ることを特徴とする請求項１乃至３のいずれか一項に記載の配列。
【請求項５】
時計が相異なる外観を有することを特徴とする請求項１乃至４のいずれか一項に記載の配列。
【請求項６】
配列の少なくとも１つの時計には、物品及び表面又はいずれか一方に少なくとも１つの時計及び配列又はいずれか一方を固定する固定手段としての腕バンド、スナップ錠、差し込み固定具、通し手段、掛け吊り手段、接着可能な或いは接着する面或いは磁石が取り付けられていることを特徴とする請求項１乃至５のいずれか一項に記載の配列。
【請求項７】
請求項１乃至６のいずれか一項に記載の時計の配列を製造する方法において、マスターにより合成樹脂フィルムに印刷させ、合成樹脂フィルムを射出成形工具内に置いて、合成樹脂により合成樹脂フィルムを射出させる部分工程により文字盤を形成する支持要素を製造し、ケーシングとカバーガラスを製造させ、支持要素の第一面とケーシングを材料一体的に結合させ、支持要素の第二面と少なくとも一つカバーガラスを材料一体的に結合させる工程から成ることを特徴とする方法。
【請求項８】
カバーガラスとケーシングとが合成樹脂から射出成形工具によって製造され得ることを特徴とする請求項７に記載の方法。
【請求項９】
カバーガラスとケーシングとが支持要素上に貼り付けられ且つ溶接されるか、又は貼り付けられるか、或いは溶接されることを特徴とする請求項７或いは８に記載の方法。
【発明の詳細な説明】
本発明は、独立請求項の上位概念による少なくとも２つの時計の配列、この配列から分離される時計及びこの配列の製造方法に関する。
３０年来個人的に携帯される時計の製造方法、外観、使用目的及び社会現象で占める事象は変遷した。早期には、時計の製造は、高度の専門知識を持った専門家によって実施されなければならない作業集中的な精密作業であった。時計は、金属やガラスのような主として高貴な、耐久性材料から製造された。従って時計は−大抵機械的腕時計又は懐中時計−は、一生に一度か又は高々二三度行われるコストの高い買物であった。今日ではこれは変わった。合成樹脂工学やマイクロ電子工学は、熟練しない人による時計の安価な大量生産を可能にする。そのような時計の価格は安い。時計は、流行的なアクセサリーとして購入され、収集されかつ携帯される。相応して常に変わるオリジナルデザインの時計の需要は大きい。
そのような種類の時計が本発明の対象物でありかつそのような時計の製造方法も独立請求項において特定される。
本発明は、結合手段によって互いに結合された少なくとも２つの時計の配列を創造すること、製造すること並びに販売するというアイデアに起因する。配列の時計は、好ましくは互いに分離可能である。それによって時計を後で各所有者が自由な選択可能な時点に互いに分離しかつ好みに従って使用するという可能性が生み出される。
結合手段は、例えば単一の支持体要素によって及び又は文字盤、ガラス及び又は時計側のような時計構成部分によって形成され又は支持体要素上に載せられることができる。その際支持体要素は、全ての時計の文字盤、ガラス又は時計側を含むことができる。好適な実施形態において支持体要素は、全ての時計の文字盤を含み、その際ガラスは支持体要素の第１面と、また時計側は支持体要素の第２面と結合する。文字盤、ガラス及び又は時計側は、好ましくは合成樹脂から成る。しかし少なくとも２つの時計の間の結合手段は、追加の要素によっても形成されることができるが時計構成部分によっては形成されることができない。そのような結合手段は、例えば後から時計から除去されることができ、それによって時計は互いに分離される。
時計を互いに分離する可能性は、好ましくは配列の２つの時計の間の目標破断個所によって達成される。目標破断個所は、結合手段における例えば収縮部又は横断面減少部及び又はパーフオレーションとして実現されることができる。この場合に時計は、時計が目標破断個所に沿って互いに破断されることによって互いに分離される。
本発明による時計の配列は、それぞれ１つの時計が高々２つの他の時計と結合されるという意味で一次元的であり得る。一次元的配列は、例えば直線で有り得、従って個々の時計が分断され得る「時計（チョコレート）棒」が得られる。一次元的配列は、任意に曲げられることもできる。閉じた一次元的形状（上記定義の意味で）、例えば互いに分離可能な時計から成るリングも可能である。
配列は、２つ以上の時計と結合される配列における少なくとも１つの時計であるという意味で二次元的でも有り得る。二次元的配列は、平面的なものであり得、かつ例えば矩形又は正方形の形の時計から成り得、従って「時計（チョコレート）板」又は「時計（郵便切手）シート」が得られる。非平面的二次元配列、例えば空所を備えた「時計格子」も可能である。
本発明による配列の少なくとも１つの時計に固定手段が取り付けられ得る。固定手段は、少なくとも１つの時計及び又は配列を使用に従ってそれぞれ対象物に及び又は表面に、例えば体の一部、衣服、ポケット、家具、自動車、植物等に固定することを可能にする。そのような固定手段は、対象物及び又は表面に対する形状一体的、材料一体的又は摩擦的結合を形成することができる。固定手段の例は、腕輪、スナップ止め具、差込み固定部、糸通し手段、ハンガー手段、接着可能又は接着する面、磁石等である。
本発明による配列の製造方法において、全ての時計の文字盤を含む支持体要素、ガラス及び時計側が製造され、ガラス並びに時計側は支持体要素と結合される。支持体要素、ガラス及び時計側は、好ましくは射出成形によって合成樹脂から製造される。ガラス及び時計側は、好ましくは支持体要素上に接着され及び又は溶接される。
全ての時計の文字盤を含む支持体要素の製造のための有利な方法は、「イン−モールド−ラベリグ」の名称の下に公知の方法である。この際合成樹脂フィルムは、配列のために特定された模様を印刷され、射出成形工具内にセットされかつ合成樹脂を射出される。時計構成部分に直接印刷することに対するこの方法の利点は、印刷のために、そのために特に好適で、即ち色再生及び色耐久に関して良好な特性を有するフィルムが選択され得ることにある。
勿論、時計を互いに分離するか否かは、所有者に委ねられる。配列をそのような部分又は複数の時計から成る配列の部分として使用することも考えられる。このことは、例えば複数の互いに結合された時計のそれ自体既に慣用されていない奇異な外観のために所望可能であり得、又は配列の相異なる時計に相異なる時間を調整し又は読み取るために所望可能である。
本発明は、使用可能性に従来意図されてない様相を触発する。本発明による配列、その部分又は配列から分離された個々の時計は、流行アクセサリー、装飾、ペンダント、広告用景品、表札、名刺又は祝いカード、訪問カード及び他の多くのものに使用されることができる。本発明による配列のデザイン及びその時計には、実質的に限界がない。本発明による配列の時計は、同一な又は相異なる外観を有する。その他本発明による配列は、好適でありかつ簡単に製造可能であり、このことは慎ましい消費も可能にし、常にそのような配列又は時計を創造しかつ急速に変わる流行装飾を考慮する。
次に図面に基づいて本発明を詳細に記載する。即ち
図１〜図５は、時計の本発明による配列に図式的平面図である。
図６〜図１２は、本発明による相異なる配列の図式的側面図である。
図１３〜図１６は、本発明による配列の好適な実施形態の相異なる方向から見た図である。
図１７〜図２１は、好適な配列から分断された本発明による時計の相異なる方向から見た図である。
図２２〜図２４は、本発明による時計の相異なる方向から見た横断面図である。
図１〜図５は、時計の本発明による種々の配列の図式的平面図でありかつ主として配列の可能な形態を示す。時計を結合する結合手段は、図１〜図５において示唆のみされており、これについては図６〜図１５に詳しく記載されている。
図１には、本発明による配列の好適な実施形態が表されている。４つの時計１．１〜１．４は、結合手段２．１〜２．３によって直線的な一次元配列において互いに結合されており、それによってチョコレート棒に類似の配列が得られる。配列は、それぞれ１つの時計が高々２つの他の時計と結合しているという意味で一次元的である。時計１．１〜１．４は、好ましくは、例えばそれぞれ２つの時計１．１〜１．４の間の結合手段２．１〜２．３上にある目標破断個所３．１〜３．３に互いに分離可能である。配列の時計１．１〜１．４は、図１のように、相異なる外観を有する。このことは、所有者にその日のコンディション、気分、天気、機会、衣服等に従ってそれぞれ適合する時計を選択して携帯するという可能性を与える。勿論模様のみならず、時計の形態も相違し得る。配列の時計は、以下の図のように、同一の外観を有することもできる。
図２は、二次元的、例えば５つの時計１．１〜１．５のＴ形配列を示す。この配列は、２つ以上の時計１．１、１．３、１．４と結合している配列に少なくとも１つの時計１．２があるという意味で二次元的である。図３中６つの時計１．１〜１．６の一次元的配列は、Ｏ形であり、図４中の４つの時計１．１〜１．４の配列はクローバの葉形である。図５中に示された９つの時計の二次元的配列は、板チョコレート又は郵便切手シートに匹敵する。図５を図中符号を重ならせないために、２つの結合手段２．１、２．２及び２つの目標破断個所３．１、３．２のみが表される。
図６〜図１２は、それぞれ４つの時計１．１〜１．４を備えた本発明による相異なる一次元配列の図式的側面図を示しかつ主として時計１．１〜１．４の間の結合手段に関する。時計１．１〜１．４の中場合によっては主要構成部分は、ガラス１１．１〜１１．４、文字盤１２．１〜１２．４並びに１３．１〜１３．４が表されている。
図６は、時計１．１〜１．４の本発明による配列を示す。この好適な実施形態において、時計１．１〜１．４の間の結合手段２．１〜２．３は、単一の支持体要素２０上にあるか又はこの支持体要素２０によって形成される。支持体要素２０は、全ての時計１．１〜１．４の文字盤１２．１〜１２．４を含む。また、時計１．１〜１．４の間の結合手段２．１〜２．３は、それらの文字盤１２．１〜１２．４によって形成されるとも言える。支持体要素２０は、好ましくは比較的剛固な合成樹脂板である。時計１．１〜１．４の間には、支持体要素２０における例えば収縮部又は横断面減少部として実現される目標破断個所３．１〜３．３がある。ガラス１１．１〜１１．４は、支持体要素２０の第１面２１と結合しており、また時計側１３．１〜１３．４は支持体要素２０の第２面２２と結合している。これらの結合部は、好ましくは材料一体的である。ガラス１１．１〜１１．４及び時計側１３．１〜１３．４は、例えば支持体要素２０に接着され及び又は溶接されている。支持体要素２０、ガラス１１．１〜１１．４及び時計側１３．１〜１３．４は、好ましくは合成樹脂から成り、この文字に使用される名称「ガラス」は、従来の時計から来ておりかつそのために矛盾を来すものではなく、材料については何も言及するものではない。
図６の実施形態は、好適につくられ、その間先ず文字盤１２．１〜１２．４を含む支持体要素２０、ガラス１１．１〜１１．４並びに時計側１３．１〜１３．４が、例えば合成樹脂から射出成形によって製造される。それからガラス１１．１〜１１．４並びに時計側１３．１〜１３．４は、例えば接着及び又は溶接によって支持体要素２０と結合されその際超音波溶接が使用されることができる。
支持体要素２０は、有利な方法で公知の「イン−モールド−ラベリング」法によって製造される。この際合成樹脂フィルム２３は、配列に特定された模様を印刷され、（図示しない）射出成形工具にセットされかつ合成樹脂を射出される。合成樹脂フィルムは、支持体要素２０の第１面上にある。印刷のためにフィルム２３が選択され、フィルムはこのために特に好適な、即ち色再生及び色耐久に関する良好な特性を有する。この方法は、支持体要素２０に直接印刷するよりも有利であることが実証され得る。
図７の配列において、時計１．１〜１．４の間の結合手段２．１〜２．３は、ガラス１１．１〜１１．４によって形成されている。目標破断個所３．１〜３．３によって互いに分断されるガラス１１．１〜１１．４は配列の支持体要素２０として把握され得る。（二点鎖線で示された）文字盤１２．１〜１２．４は、例えばガラス１１．１〜１１．４と時計側１３．１〜１３．４との間に固定され又は締付けられることができる。
図８の配列において、時計１．１〜１．４の間の結合手段２．１〜２．３は、時計側１３．１〜１３．４によって形成されている。目標破断個所３．１〜３．３によって互いに区画された時計側１３．１〜１３．４は、支持体要素２０を形成し得る。
図９は、４つの時計１．１〜１．４の配列を示す。その中それぞれ２つの時計１．１、１．２又は１．３、１．４は、結合手段２．１又は２．２を形成する文字盤１２．１、１２．２又は１２．３、１２．４を介して互いに結合されかつそのように２つの部分配列１０．１、１０．２を形成する。この例において、その文字盤１２．１、１２．２を介して互いに結合される部分配列１０．１のそれぞれ２つの時計１．１、１．２は、互いに分離不可能である、そのわけはそれらの間に目標破断個所がないからである。これに対して２つの部分配列１０．１、１０．２又は配列の２つの中央の時計１．２、１．３は、互いに分離可能である。２つの中央の時計１．２、１．３を結合する第２結合手段２．５は、文字盤１２．２、１２．３に接着された２つの可撓性の帯材２４．１、２４．２から成る。第２結合手段２．５は後に時計１．２、１．３から分離されることができる。
後から分離可能な結合手段２．６を備えた他の実施形態は、図１０に表されている。４つの時計１．１〜１．４は、ここでは結合手段としてのスリーブ２．６によって結合されている。そのようなスリーブ２．６は、例えば時計１．１〜１．４の包装によって形成され得かつ透明の合成樹脂、紙等から成る。
図１１は、時計１．１〜１．５の間の他の種々の結合手段２．１〜２．４を備えた配列を示す。第１結合手段２．１は、例えば細い棒又は薄い板として形成されることができ、かつ結合されるべき２つの時計１．１、１．２から成形され又はこれに取り付けられることができる。第１結合手段２．１は、その小さい横断面のために同時に目標破断個所３．１を形成する。第２結合手段２．２は、形状一体的な可逆的な結合部として、例えば２つの可撓性部分２．２２、２．２３によって保持された１つの押し込み部分２．２１を備えたスナップ止め具として形成されている。第４結合手段２．４は、摩擦的結合、例えば２つの永久磁石２．４１、２．４２を備えた磁気的結合部として形成されている。
本発明による配列のための結合手段２．１〜２．４の他の変形は、図１２に表されている。配列は、後で時計１．１〜１．４から分離される単一の支持体要素２０を有する。配列の４つの時計１．１〜１．４は、相違して支持体要素２０と結合されている。図１１に類似して、時計１．１〜１．４と支持体要素２０との間の結合手段２．１〜２．４は、目標破断個所３．１として、形状一体的に（例えば２つの可撓性部分２．２２、２．２３と）又は材料一体的に（例えば接着剤２．３により）又は摩擦的に（例えば２つの磁石２．４１、２．４２により）形成されることができる。
図１２の右方の時計１．４は、磁石２．４１を備え、磁石は、−配列の時計１４の分離後−固定手段として使用され得る。そのような固定手段は、時計を使用に従ってそれぞれ対象物及び又は表面に、磁石２．４１の場合には例えば冷蔵庫入口、家具、自動車等に固定することを可能にする。磁石２．４１は、摩擦的固定手段を表す。他の固定手段は、対象物及び又は表面に対して形状一体的又は材料一体的な結合を形成することができる。
勿論図６〜図１２に図式的に表された結合手段２．１〜２．６は、例としてのみの性格を有する。本発明の認識では、当業者には、結合手段を他の方法で構成し及び又は結合手段が互いに組合せ及び他のここでは図示しない配列であって、しかし本発明には属する配列を創造することも可能である。
図１３〜図１６は、本発明による配列の好適な実施形態の相異なる方向から見た図を示す。配列は、図１及び図６の配列に略相応する。配列は、一列に配設されておりかつその文字盤１２．１〜１２．４を介して互いに結合された４つの時計１．１〜１．４を有する。結合手段２．１〜２．３は、成形によっても文字盤１２．１〜１２．４に形成される。文字盤１２．１〜１２．４は、単一の支持体要素２０によって保持されている。支持体要素２０は、時計の間のパーフオレーションと横断面減少部の形の目標破断個所３．１〜３．３を有する。個々の時計１．１〜１．４は、例えば矩形であり、各時計１．１〜１．４は、全部で４つの側にきざみ葉を有し、その結果個々の時計は、その形状によって郵便切手に似ている。図１２〜図１６にはガラス１１．１〜１１．４並びに時計側１３．１〜１３．４、龍頭１４．１〜１４．４及び時間表示手段１５．１〜１５．４、例えば指針、時計１．１〜１．４が認められる。図１５には、他の時計側蓋１６．１〜１６．４が見られ、時計側蓋の下には（図示しない）時計装置及びバッテリーがあり、そして製造に制約された溶接スポット１７．１１〜１７．１４、１７．２１〜１７．２４、１７．３１〜１７．３４、１７．４１〜１７．４４（図２４）がある。
図１３は、配列の斜視図、図１４は、上方から見た平面図、図１５は、下方から見た平面図、そして図１６は、龍頭１４．１〜１４．４の側から見た側面図、即ち「３時」の方向から見た図である。
図１７〜図２１には、図１３〜図１６に示された配列から分離される本発明による個々の時計１が表されている。本発明によるこの時計１は、即ち時計が他の時計及び又は早期に存在していた結合手段のシュプールと結合するための結合手段を有することによって、従来技術に属する時計とは相違し得る。ここに図示した時計は、（図６〜図１２に示すように）元々少なくとも１つの第１の側２５で文字盤１２を介して他の時計と結合されていた。目標破断個所に沿う時計１の分離の後、第１側２５上の破断個所２６は、その構造に基づいて破断個所として明確に識別され、それによって本発明による時計１は、類似の、しかし単一時計として製造された時計とは相違する。早期に存在する結合手段の他のシュプールは、例えば（図示しない）接着剤残滓である。
図１７は、時計の斜視図、図１８は、上から見た平面図、図１９は、下から見た平面図、図２０は、龍頭の側の、即ち「３時」の方向の側面図、そして図２１は、「１２時」の方向の側面図を示す。図２１では、その他同様に良く、図１３〜図１６に示された全配列の側面図を対象とし得る。図１９には時計側蓋１６及び溶接スポット１７．１〜１７．４（図２４）が見える。
本発明による配列の時計には、対象物及び又は表面に時計を固定するための（図示しない）固定手段が取り付けられ得る。固定手段の例は、腕輪、スナップ止め具、差込み固定部、糸通し手段、ハンガー手段、接着可能な又は接着する面、磁石等である。そのような固定手段は、それ自体公知でありかつ固定手段を本発明による時計の好適な個所に取りつけることは当業者にとって容易である。
図２２〜図２４には、図１７〜図２１に表された本発明による時計１の種々の横断面が示されている。切断平面は、図１８及び図１９に示されている。これら全ての図２２〜２４には、３つの主構成部分、即ちガラス１１、文字盤１２及び時計側１３が見える。ガラス１１及び時計側１３は、好ましくは文字盤１２と材料一体的に、例えば文字盤上に接着及び又は溶接されて結合されている。ガラス１１及び又は時計側１３の収容及び正確な位置決めのために文字盤１２に窪み又は溝２４が形成されている。
図２２は、直線「９時〜３時」に沿う横断面を示す。文字盤１２と時計側１３との間の時計装置４、指針軸５、龍頭軸６及び龍頭１４が図式的に表されている。指針は簡単のために表されていない。時計側内には開口３０があり、開口を通って時計装置４及び又は（図示しない）バッテリーが挿入可能又は取り出し可能である。開口３０は蓋１６によって閉じられている。
図２３は、直線「６時〜１２時」に沿う本発明による時計１の横断面を示す。他の時計に対する結合手段又はそのシュプールは、図示の時計１が図１３〜図１６による配列から分離される場合に、他の時計に対する結合手段又はそのシュプールは、例えば第１側２５．１及び又は第２側２５．２に取り付けられ得る。
図２４の横断平面は、図２３の横断平面に対して平行に走っているが、本発明による時計１の縁に沿って走り、その結果溶接スポット１７．１、１７．４が見える。そのような溶接スポット１７．１、１７．４は、合成樹脂から成る文字盤１２及び時計側１３の間の材料一体的結合を形成し得る。そのような結合部を形成するために、相応した個所に、凹部２７．１、２７．４又は突起３７．１、３７．４が設けられる。結合されるべき部分１２、１３は、互いに位置決めされかつ順次配列される。部分１２、１３の少なくとも１つには、（図示しない）超音波振動が印加され、それによって両部分１２、１３が溶接される。その際先ず重ねられる材料２８．１１、２８．１２、２８．４１、２８．４２がこのために設けられた中空室２９．１１、２９．１２、２９．４１、２９．４２内で撓み、それによって最適の結合が達成される。同様に龍頭軸６が見える。
図は、指針１５を備えたそれぞれアナログ時計１、１．１〜１．９を示す。勿論本発明は、他の時間支持手段、例えばディジタル時計を備えた時計をも包含する。
【図１】
0004241941.tif 000002
【図２】
0004241941.tif 000003
【図３】
0004241941.tif 000004
【図４】
0004241941.tif 000005
【図５】
0004241941.tif 000006
【図６】
0004241941.tif 000007
【図７】
0004241941.tif 000008
【図８】
0004241941.tif 000009
【図９】
0004241941.tif 000010
【図１０】
0004241941.tif 000011
【図１１】
0004241941.tif 000012
【図１２】
0004241941.tif 000013
【図１３】
0004241941.tif 000014
【図１４】
0004241941.tif 000015
【図１５】
0004241941.tif 000016
【図１６】
0004241941.tif 000017
【図１７】
0004241941.tif 000018
【図１８】
0004241941.tif 000019
【図１９】
0004241941.tif 000020
【図２０】
0004241941.tif 000021
【図２１】
0004241941.tif 000022
【図２２】
0004241941.tif 000023
【図２３】
0004241941.tif 000024
【図２４】
0004241941.tif 000025